(57)【要約】      （修正有）【課題】引き剥がし用の折り返し部をテープ端部に形成できる簡単な構成のテープカッターを提供する。【解決手段】粘着面が上側になるようにロールテープ１６をテープ支持部１４に取り付け、テープのカット部２０には、引き出したテープ１９を押し下げることによって粘着面を上側にしてテープ１９が長手方向に二つ折りされ得る折曲げ間隙部が形成されると共に折曲げ間隙部には平刃状の切刃２８の刃先が傾斜した状態に配置する。さらに、折曲げ間隙部の入口部には上側に傾斜した状態に拡がったテープ案内部を形成し、しかも折曲げ間隙部の一方の内壁面には入り口部分付近に二つ折りされたテープ１９の移行に支障を来さない程度の突起部または段付部を設けて折り曲げられたテープ１９の圧着を十分に行い得るよう構成する。【選択図】図１
0003172037.tif 000002
【実用新案登録請求の範囲】
【請求項１】
ロール状の粘着テープを回動可能に支持する粘着テープ支持部と、粘着テープを所望長さにカットするカット部を備えたテープカッターにおいて、粘着テープ支持部には引き出した粘着テープの粘着面が上向きになるように取り付け、カット部は粘着テープの所定の折曲げと切断をできるようにしたカット本体部材を備え、該カット本体部材は引き出した粘着テープを押し下げることによって粘着面を上側にして粘着テープが長手方向に二つ折りされ得る折曲げ間隙部が形成されると共に折曲げ間隙部には平刃状の切刃の刃先が傾斜した状態に配置され、かつ折曲げ間隙部の入口部には上側に傾斜した状態に拡がったテープ案内部が形成され、しかも折曲げ間隙部の一方の内壁面には入り口部分付近に二つ折りされた粘着テープの移行に支障を来さない程度の突起部または段付部を設けて折り曲げられたテープの圧着を十分に行い得るようにされてなり、さらにカット部の粘着テープ支持部側には切り離された残存側の粘着テープの端部側が落下しないように下方から支えるテープ支持部を設けるようにしたことを特徴とするテープカッター。 
【請求項２】
請求項１記載のテープカッターにおいて、折曲げ間隙部の隙間は前記突起部の形成位置より入口部寄り側において１〜３ｍｍ、切刃の刃先位置を含む前記突起部より下方側では３〜５ｍｍであるるテープカッター。
【請求項３】
請求項１または２記載のテープカッターにおいて、カット本体部材の前後両面とテープ案内部の傾斜面またはカット本体部材の前面とテープ案内部の傾斜面とに沿って移動可能に設けた１対の隙間調節部材であって、かつそのカット本体部材の前面または後面に沿って移動可能な側の互いに対抗する各辺は上方の位置程互いの距離が広がる方向に傾斜した部分を有し、対抗する両辺の下端部付近の突出部間の距離により折曲げ間隙部の隙間に相当する部分を微調節可能としたテープカッター。
【考案の詳細な説明】
【技術分野】
【０００１】
本考案は、粘着テープ用のテープカッターに関するものであり、特にテープを貼り付けて使用した後にそのテープの引き剥がしを容易であるテープの折り返し部を形成し得るようにしたテープカッターに関するものである。
【背景技術】
【０００２】
包装紙等を使用して物品の包装する際には粘着テープを使用するのが一般であるが、使用後包装紙等を傷めないできれいな状態で包装を解こうとすると密着した粘着テープを剥がさなければならないので、そう簡単ではない。そこで、従来よりテープ使用後のテープの引き剥がしのためのテープの折り返し部を形成し得るようにしたテープカッターが種々提案されている。例えば、特開２００６−３１２５３１号公報や特開２００９−７３６５４号公報記載のテープカッターがこれである。しかし、これらは使用時テープの折曲げ部はテープを逆方向に折り返したもので体裁がよく、商品の包装等には好適に使用できるが、構造複雑で高価であるため、体裁をそれ程必要とされない場合（例えば、包装後直ぐに開封する弁当の包装等）には過重な品質となり、採用しがたいという欠点があった。
【先行技術文献】
【特許文献】
【０００３】
【特許文献１】特開２００６−３１２５３１号公報
【特許文献２】特開２００９−７３６５４号公報
【考案の概要】
【考案が解決しようとする課題】
【０００４】
本考案の解決すべき問題点は、使用時それ程体裁を重視しない簡易な包装に使用し得る簡易な折り返し部をテープ端部に形成できるようにした簡単な構成のテープカッターを提供することである。
【課題を解決するための手段】
【０００５】
このような目的を達成するためになされた本考案は、次のように構成される。
Ａ  ロール状の粘着テープを回動可能に支持する粘着テープ支持部と、粘着テープを所望長さにカットするカット部を備えたテープカッターにおいて、粘着テープ支持部には引き出した粘着テープの粘着面が上向きになるように取り付け、カット部は粘着テープの所定の折曲げと切断をできるようにしたカット本体部材を備え、該カット本体部材は引き出した粘着テープを押し下げることによって粘着面を上側にして粘着テープが長手方向に二つ折りされ得る折曲げ間隙部が形成されると共に折曲げ間隙部には平刃状の切刃の刃先が傾斜した状態に配置され、かつ折曲げ間隙部の入口部には上側に傾斜した状態に拡がったテープ案内部が形成され、しかも折曲げ間隙部の一方の内壁面には入り口部分付近に二つ折りされた粘着テープの移行に支障を来さない程度の突起部または段付部を設けて折り曲げられたテープの圧着を十分に行い得るようにされてなり、さらにカット部の粘着テープ支持部側には切り離された残存側の粘着テープの端部側が落下しないように下方から支えるテープ支持部を設けるようにしたことを特徴とするテープカッター。
Ｂ  Ａ項記載のテープカッターにおいて、折曲げ間隙部の隙間は前記突起部の形成位置より入口部寄り側において１〜３ｍｍ、切刃の刃先位置を含む前記突起部より下方側では３〜５ｍｍであるるテープカッター。
Ｃ  Ａ項またはＢ項記載のテープカッターにおいて、カット本体部材の前後両面とテープ案内部の傾斜面またはカット本体部材の前面とテープ案内部の傾斜面とに沿って移動可能に設けた１対の隙間調節部材であって、かつそのカット本体部材の前面または後面に沿って移動可能な側の互いに対抗する各辺は上方の位置程互いの距離が広がる方向に傾斜した部分を有し、対抗する両辺の下端部付近の突出部間の距離により折曲げ間隙部の隙間に相当する部分を微調節可能としたテープカッター。
【考案の効果】
【０００６】
本考案は上述のように構成されているので、次に記載する効果を奏する。
カット部ではカット本体部材に所定隙間を有する折曲げ間隙部が設けられており、この部分に上方から押し下げられた粘着テープは長手状に二つ折りされるが粘着テープは粘着面が上向きに取り付けられているので、この状態を保持して接着され、さらに下方に押し下げられ、切刃により切り離される。すなわち、粘着テープはカット部の前後両端側（すなわち、切り離された部分のテープ端部と切り離されていない部分のテープ端部の両方）において長手状に折り曲げられた折返し部が形成される。従って、商品の包装後において、折り返し部を指でつまみ引っ張ることにより容易に粘着テープを剥がすことができる利点がある。
また、カット部はカット本体部材に切刃を有する折曲げ間隙部を形成するだけでよいので、構造簡単であり、安価にできる利点がある。
【図面の簡単な説明】
【０００７】
【図１】（イ）は本考案の実施例を示す正面図 、（ロ）は同実施例の平面図、（ハ）は同実施例の左側面図である。
【図２】（イ）は同実施例に使用する一部品の正面図、（ロ）は同部品の縦断面図、（ハ）は同図（イ）におけるＡ−Ａ断面図、（ニ）は同部品に取り付けられた一部品の一部断面図を含む正面図、（ホ）は同部品の一部を示す部分拡大図である。
【図３】（イ）、（ロ）は同実施例の使用時におけるテープの切断時の端部状態を示す説明図である。
【図４】（イ）は本発明の他の実施例を示す部分説明図、（ロ）は同実施例に使用する部品の斜視図、（ハ）は同部品の変形例を示す斜視図である。
【考案を実施するための形態】
【０００８】
簡易な折り返し部をテープ端部に形成できるようにした簡単な構成のテープカッターを提供するしいう目的を、テープ支持部には粘着テープを粘着面が上向きになるように取り付け、カット部では指で挟んで引き出されたテープを押し下げると、テープはカット本体部材の折曲げ間隙部で長手方向に二つ折りされて接着されると共に刃部で切り離され、そのテープ両端部に折り返しつまみ部を形成させるという簡単な構成で実現した。                            
【実施例１】
【０００９】
図1において、１０はテープカッターであり、その基台１２上の一端側にはテープ支持部１４が設けられ、ロール状の粘着テープ（以下ロールテープという）１６を回動可能に支持するようにされている。すなわち、ロールテープ１６内に嵌め込まれたテープ保持部材１８の中心部両端に突出した中心軸部１７が、図１（ロ）に示すテープ支持部１４内のロールテープ１６の両側に位置する内壁部に形成された逆Ｌ字形の溝（図示省略）内に嵌め入れられ、ロールテープ１６が回動とされている。 なお、テープ支持部１４は従来のものと同様であり、よく知られているので詳しい説明は省略する。ただし、引き出したテープ１９の粘着面が上向きになるようにロールテープ１６を取り付ける点で、従来と異なる。
【００１０】
基台１２上には、テープ支持部１４の反対側の端部寄りにカット部２０が設けられている。カット部２０は基台１２上に突設された取付部２２に、刃部を備えたカット本体部材２４がねじで取り付けられて構成される。なお、取付部２２は厚く作られ、その上端側の一部は切り離された残存側のテープの端部側が落下しないように下から支えるテープ支持部としての役割をなしている。
カット本体部材２４は図２（イ）〜（ハ）に示すように平板状の部材で構成され、中心部上方には、押し下げられたテープが長手方向に二つ折りされると共に粘着面同士を圧着するための所定幅の折曲げ間隙部２６が設けられ、その終端寄りの位置に傾斜した刃先を有する切刃２８が配置され、かつ折曲げ間隙部２６の入口部には上側に傾斜した状態に拡がったテープ案内部２９が形成されている。なお、切刃２８は図２（ロ）に示すように折曲げ間隙部２６の両側に形成された溝３０内に嵌め込まれて取り付けられる。
【００１１】
折曲げ間隙部２６は図２（ホ）に拡大して示すように示すように、カット本体部材２４の一方の内壁面には突起３２がカット本体部材２４の厚さ方向の全体にわたって突設され、折曲げ間隙部２６内の反対側の内壁面との間が狭くされて、二つ折りされたテープの圧着を確実になし得るようにされている。
折曲げ間隙部２６の隙間は入り口寄り部分で１〜３ｍｍ、それより奥側部分で３〜５ｍｍとされている。奥側部分の隙間を大きくした方が、切刃２８の切れ味が長続きする利点がある。（（注）図２（ホ）では、隙間は各部同一寸法に図示されている。）
なお、 突起３２はカット本体部材２４の板厚の両端寄りに点状に設けてもよい。テープ押し下げ時の抵抗が軽減する利点がある。また、突起は板厚全体にわたって設けず、一点に設けてもよい。但し、テープ切り離し時のテープ接着が十分でないきらいがある。
また、折曲げ間隙部２６の加工成形が困難な場合は、カット本体部材２４を折曲げ間隙部２６の中心部から２分し、それぞれに折曲げ間隙部の加工成形と切刃２８を嵌め込む溝３０の加工成形を行った後、両者を接着し、さらに折曲げ間隙部に相当する部分を削除した板材に接着して使用するようにしてもよい。
【００１２】
以上のように構成された実施例では、使用時にロールテープ１６から指で挟んで引き出したテープの端を押し下げると、テープは折曲げ間隙部２６の入口部の両側に拡がるテープ案内部２９の傾斜面に案内されて、テープ１９の中心部から上向きで、かつ長手方向に二つ折りされた状態で折曲げ間隙部２６内に入り込むると共に折曲げ間隙部２６内の切刃２８により切断されることになる。図３（イ）は使用開始時において、テープ１９の切断部に、テープ１９の引き剥がしを容易になし得る折り返し部３１が形成された最初の状態を示す。なお、その後所望の長さだけテープを引き出し、前述のように切断すると、図３（ロ）に示すように両端に折り返し部３１が形成され、使用可能な状態となる。
【００１３】
この場合、テープ１９は粘着面を上向きに配置され、かつ上向きに二つ折りされるので、切断後においても粘着面同士が接着してその状態を保持することになる。特に、図２（ハ）に示す突起３２は粘着面同士の圧着を確実にする利点がある。また、突起３２はカット本体部材２４の厚さ全体にわたって形成され、ある長さ（板厚寸法と略同じ長さ）を有しているので、切断後における粘着面同士の接着はある長さ（板厚寸法を略２分した長さ）を持つことになり、点接触の場合に比し、粘着面同士の接着が外れ難く、長くその状態を保持できることになる。すなわち、テープ使用後、折り返し部３１を安定した状態で形成でき、テープの引き剥がしを容易になし得る利点がある。また、切刃２８はカット本体部材２４の厚みの中間部に設けているので、テープは接着部（圧着部）の中間で切断され、切断部の両端に折り返し部３１を形成できる利点がある。
【００１４】
図２（ホ）の突起３２に代えて、所定さの部分的な段付部を設けてもよい。段付部の狭くなった部分は、突起３２と同様にテープの粘着面同士の圧着を確実にする利点がある。
【００１５】
図４はテープを二つ折りすると共に圧着するための隙間を調節可能とした本発明の他の実施例を示す。同図において３８，４０はカット本体部材２４の前後両面とテープ案内部２９の傾斜面に沿って移動可能に設けた左右対称の１対の隙間調節部材であり、図４（ロ）に示すようにカット本体部材２４の厚みに沿って折曲された形状をなす部分を有し、前記移動可能とされた部材である。そのカット本体部材２４の前後両面に沿って移動可能で、互いに対抗する各辺４２，４４間は上方に開いたくさび状の隙間を形成し、両隙間調節部材３８，４０を移動調節することにより上記各辺４２，４４の下端部寄りの突出した部分間の隙間Ｓを調節可能としたものである。移動調節後は隙間調節部材３８，４０に設けた長孔に通したねじを締め付けることにより、その位置に固定できるようにされている。すなわち、前記くさび状の隙間はいわゆる折曲げ間隙部をなし、突出した部分間の隙間Ｓはテープの二つ折りが容易に行い得るかどうか、圧着の程度（圧着の確実性）に関係する部分である。従って、上記隙間を調節することにより、これらの加減が可能であるという利点がある。図４（ハ）は同図（ロ）の隙間調節部材４０の変形例を示す。下方に伸びる２つの部分の一方を省いたものであり、カット本体部材２４の前面と傾斜面２９に沿って移動可能とされている。
【００１６】
以上本考案の一実施例について説明したが、本考案はこのような実施例に何等限定されるものではなく、本考案の要旨を逸脱しない範囲において種々なる態様で実施し得ることはもちろんである。
【符号の説明】
【００１７】
１０  テープカッター
１４  テープ支持部
１６  ロールテープ
１９ 引き出したテープ
２０  カット部
２４  カット本体部材
２６  折曲げ間隙部  
２８  切刃
２９  テープ案内部
３１  折り返し部
３２  突起          
３８  隙間調節部材
４２  辺
４４  辺
４５  隙間調節部材
【図１】
0003172037.tif 000003
【図２】
0003172037.tif 000004
【図３】
0003172037.tif 000005
【図４】
0003172037.tif 000006